(57)【要約】【課題】テープ上のトークデータの会話内容を発話者ごとに明瞭に区別して視認し、所望の編集を容易に実行する。【解決手段】複数の発話者それぞれによる発話関連データＭ１〜Ｍ４，Ｐ１〜Ｐ４が時系列に沿って複数個含まれるトークデータを受信し、テープ３３をプレビュー表示させると共に、トークデータに含まれる時系列に沿った複数の発話関連データＭ１〜Ｍ４，Ｐ１〜Ｐ４のうち少なくとも一部をプレビュー表示中においてテープ長さ方向に沿って時系列の順番に配列して表示し、かつ、ユーザの発話関連データＭ２，Ｍ４，Ｐ４と、相手の発話関連データＭ１，Ｍ３，Ｐ１〜Ｐ３とを、互いに異なる態様で表示し、そのプレビュー表示中においてテープ長さ方向に沿って配列された複数の発話関連データにそれぞれ対応した、テープ長さ方向に沿って配列される複数の印字オブジェクトＭＢ１〜ＭＢ４，ＰＢ１〜ＰＢ４をテープ３３に形成する。【選択図】図８
2018005280.tif 000002
【特許請求の範囲】
【請求項１】
被印字テープを搬送させるための搬送手段と、
前記搬送手段により搬送される前記被印字テープに印字を行う印字手段と、
所望の表示を行う表示手段と、
第１発話者及び第２発話者を含む複数の発話者それぞれによる、発話表示テキスト、投稿画像、投稿動画、及び投稿ＵＲＬ（Ｕｎｉｆｏｒｍ  Ｒｅｓｏｕｒｃｅ  Ｌｏｃａｔｏｒ）のうち少なくとも１つからなる発話関連データが、時系列に沿って複数個含まれるトークデータを、無線通信を介して受信するデータ受信手段と、
前記表示手段を制御し、前記被印字テープをプレビュー表示させると共に、前記トークデータに含まれる前記時系列に沿った前記複数の発話関連データのうち少なくとも一部を前記プレビュー表示中においてテープ長さ方向に沿って前記時系列の順番に配列して表示し、かつ、前記トークデータに含まれる前記第１発話者に関わる第１発話関連データと、前記トークデータに含まれる前記第２発話者に関わる第２発話関連データとを、互いに異なる態様で表示する、表示制御手段と、
前記印字手段を制御し、前記表示手段の前記プレビュー表示中において前記テープ長さ方向に沿って配列された前記複数の発話関連データにそれぞれ対応した、前記テープ長さ方向に沿って配列される複数の印字オブジェクトを前記被印字テープに形成する、印字制御手段と、
を有することを特徴とするテープ印字装置。
【請求項２】
請求項１記載のテープ印字装置において、
前記表示手段は、前記表示制御手段の制御に基づき、
前記プレビュー表示中において、前記第１発話関連データをテープ幅方向に沿う第１方向の一方側に寄せつつ、前記第２発話関連データを前記第１方向の他方側に寄せて表示する
ことを特徴とするテープ印字装置。
【請求項３】
請求項１又は２記載のテープ印字装置において、
前記表示手段は、前記表示制御手段の制御に基づき、
前記発話表示テキストを含む少なくとも１つの前記発話関連データを表示し、
当該少なくとも１つの発話関連データでは、前記発話表示テキストを、テープ長さ方向に沿う第２方向に延びかつ前記第１方向に複数段となる文章にて表示する
ことを特徴とするテープ印字装置。
【請求項４】
請求項３記載のテープ印字装置において、
前記表示手段は、前記表示制御手段の制御に基づき、
特定の前記発話表示テキストの前記複数段の段数が、前記プレビュー表示中の前記被印字テープのテープ幅に対応する所定数以上となる場合には、前記特定の発話表示テキストを、前記第２方向における最大文字数がそれぞれ所定の文字数以下となる第１テキスト及び第２テキストとに分割し、前記第２テキストを前記第１テキストから前記第２方向の一方側に配列して表示する
ことを特徴とするテープ印字装置。
【請求項５】
請求項１乃至４のいずれか１項記載のテープ印字装置において、
前記表示手段の前記プレビュー表示中において前記テープ長さ方向に沿って配列された前記複数の発話関連データそれぞれに対する、前記テープ長さ方向への移動処理、削除処理、表示向きの反転処理のうち少なくとも１つの処理を受け付ける処理受付手段を有し、
前記表示手段は、前記表示制御手段の制御に基づき、
前記トークデータに含まれる前記時系列に沿った前記複数の発話関連データを、前記処理受付手段により受け付けた前記処理を反映させた態様で前記プレビュー表示中において表示する
ことを特徴とするテープ印字装置。
【請求項６】
請求項１乃至請求項５のいずれか１項記載のテープ印字装置において、
前記プレビュー表示中において表示する前記複数の発話関連データの時系列範囲の指定を受け付ける範囲受付手段を有し、
前記表示手段は、前記表示制御手段の制御に基づき、
前記トークデータに含まれる前記時系列に沿った前記複数の発話関連データのうち、前記範囲受付手段により受け付けた前記時系列範囲の前記発話関連データを前記プレビュー表示中において表示する
ことを特徴とするテープ印字装置。
【請求項７】
請求項１乃至請求項６のいずれか１項記載のテープ印字装置において、
前記表示手段は、前記表示制御手段の制御に基づき、
前記トークデータに含まれる前記時系列に沿った前記複数の発話関連データのすべてを、縮小処理することなく前記プレビュー表示中に所定の表示サイズ以上で表示する
ことを特徴とするテープ印字装置。
【請求項８】
請求項６又は請求項７記載のテープ印字装置において、
前記表示手段は、前記表示制御手段の制御に基づき、
表示する前記複数の発話関連データが当該表示手段の表示範囲を超える長さとなる場合には、前記プレビュー表示中において、当該複数の発話関連データのうち最古の発話関連データを含む表示を、最新の発話関連データ側にスクロール可能に表示する
ことを特徴とするテープ印字装置。
【請求項９】
請求項６又は請求項７記載のテープ印字装置において、
前記表示手段は、前記表示制御手段の制御に基づき、
表示する前記複数の発話関連データが当該表示手段の表示範囲を超える長さとなる場合には、前記プレビュー表示中において、当該複数の発話関連データのうち最新の発話関連データを含む表示を、最古の発話関連データ側にスクロール可能に表示する
ことを特徴とするテープ印字装置。
【請求項１０】
請求項１乃至請求項９のいずれか１項記載のテープ印字装置において、
前記表示手段は、前記表示制御手段の制御に基づき、
前記投稿ＵＲＬを含む少なくとも１つの前記発話関連データを表示し、
前記印字手段は、前記印字制御手段の制御に基づき、
前記投稿ＵＲＬをバーコード化した画像を前記印字オブジェクトとして前記被印字テープに形成する
ことを特徴とするテープ印字装置。
【請求項１１】
請求項１乃至請求項１０のいずれか１項記載のテープ印字装置において、
前記表示手段は、前記表示制御手段の制御に基づき、
前記プレビュー表示の、テープ長さ方向の一方側に、前記発話表示テキストに対する編集処理を実行するテキスト編集画面への移行を指示操作可能な移行操作部を表示し、かつ、前記移行操作部に対する前記指示操作が行われた場合には、前記テキスト編集画面を表示する
ことを特徴とするテープ印字装置。
【請求項１２】
請求項１１記載のテープ印字装置において、
前記表示手段は、前記表示制御手段の制御に基づき、
前記移行操作部を、前記プレビュー表示中に配列された全ての前記発話関連データよりも前記テープ長さ方向の一方側に、当該全ての前記発話関連データとともに前記テープ長さ方向の他方側にスクロール可能に表示する
ことを特徴とするテープ印字装置。
【請求項１３】
被印字テープを搬送させるための搬送手段と、前記搬送手段により搬送される前記被印字テープに印字を行う印字手段と、所望の表示を行う表示手段と、演算手段と、を有するテープ印字装置に備えられる前記演算手段に対し、
第１発話者及び第２発話者を含む複数の発話者それぞれによる、発話表示テキスト、投稿画像、投稿動画、及び投稿ＵＲＬ（Ｕｎｉｆｏｒｍ  Ｒｅｓｏｕｒｃｅ  Ｌｏｃａｔｏｒ）のうち少なくとも１つからなる発話関連データが、時系列に沿って複数個含まれるトークデータを、無線通信を介して受信するデータ受信手順と、
前記表示手段を制御し、前記被印字テープをプレビュー表示させると共に、前記トークデータに含まれる前記時系列に沿った前記複数の発話関連データのうち少なくとも一部を前記プレビュー表示中においてテープ長さ方向に沿って前記時系列の順番に配列して表示し、かつ、前記トークデータに含まれる前記第１発話者に関わる第１発話関連データと、前記トークデータに含まれる前記第２発話者に関わる第２発話関連データとを、互いに異なる態様で表示する、表示制御手順と、
を実行させるための、トークデータ処理プログラム。
【発明の詳細な説明】
【技術分野】
【０００１】
本発明は、インスタントメッセージングアプリケーションで生成したトークデータを被印字テープに印字するテープ印字装置及びトークデータ処理プログラムに関する。
【背景技術】
【０００２】
通信ネットワークを介して自分と他者の間で交わされた会話内容を表示するインスタントメッセージングアプリケーションが知られている（例えば、特許文献１参照）。このアプリケーションでは、会話内容としてテキスト形式のショートメッセージ、スタンプなどの定型画像、任意の画像や動画、またはＵＲＬ（Ｕｎｉｆｏｒｍ  Ｒｅｓｏｕｒｃｅ  Ｌｏｃａｔｏｒ）などを投稿し合い、それらを発話者別に区別しつつ時系列の順番に配列して一覧表示する。
【先行技術文献】
【特許文献】
【０００３】
【特許文献１】特開２０１５−１７９５１９号公報
【発明の概要】
【発明が解決しようとする課題】
【０００４】
ところで、近年、新しいニーズとして、上記インスタントメッセージングアプリケーションでの会話内容をトークデータとして印字装置により被印字媒体（テープ）に印刷を行って印刷物（ラベル）を作成したい、というニーズが生じている。またこの際には、アプリケーションでの会話内容から任意に編集したトークデータで印刷したいという要望もある。このような場合、上記従来技術においては、被印字媒体であるテープの長さ方向を時系列方向に対応させて一覧表示のレイアウトそのままでトークデータを印刷すると、会話内容を示すテキストが狭いテープ幅に合わせて縮小されてしまい、会話内容の判読や発話者の区別、及びそれらの編集が困難となって不便であった。
【０００５】
本発明の目的は、テープ上のトークデータの会話内容を発話者ごとに明瞭に区別して視認し、所望の編集を容易に実行できる、テープ印字装置及びトークデータ処理プログラムを提供することにある。
【課題を解決するための手段】
【０００６】
上記目的を達成するために、本願第１発明は、被印字テープを搬送させるための搬送手段と、前記搬送手段により搬送される前記被印字テープに印字を行う印字手段と、所望の表示を行う表示手段と、第１発話者及び第２発話者を含む複数の発話者それぞれによる、発話表示テキスト、投稿画像、投稿動画、及び投稿ＵＲＬ（Ｕｎｉｆｏｒｍ  Ｒｅｓｏｕｒｃｅ  Ｌｏｃａｔｏｒ）のうち少なくとも１つからなる発話関連データが、時系列に沿って複数個含まれるトークデータを、無線通信を介して受信するデータ受信手段と、前記表示手段を制御し、前記被印字テープをプレビュー表示させると共に、前記トークデータに含まれる前記時系列に沿った前記複数の発話関連データのうち少なくとも一部を前記プレビュー表示中においてテープ長さ方向に沿って前記時系列の順番に配列して表示し、かつ、前記トークデータに含まれる前記第１発話者に関わる第１発話関連データと、前記トークデータに含まれる前記第２発話者に関わる第２発話関連データとを、互いに異なる態様で表示する、表示制御手段と、前記印字手段を制御し、前記表示手段の前記プレビュー表示中において前記テープ長さ方向に沿って配列された前記複数の発話関連データにそれぞれ対応した、前記テープ長さ方向に沿って配列される複数の印字オブジェクトを前記被印字テープに形成する、印字制御手段と、を有することを特徴とする。
【０００７】
本願第１発明のテープ印字装置においては、例えば携帯端末等において適宜のアプリケーションプログラムを用いて生成された、複数の発話者によるトークデータを用いて、被印字テープに印字を行うことができる。すなわち、データ受信手段が受信するトークデータには、各発話者による発話表示テキスト、投稿画像、投稿動画、投稿ＵＲＬ等の発話関連データが、時系列に沿って複数個含まれている。
【０００８】
一方、表示手段は、表示制御手段の制御に基づき、上記被印字テープのプレビュー表示を行うとともに、受信された上記トークデータ中に含まれる、時系列に沿った上記発話関連データを、上記時系列の順番を、テープ長さ方向に沿った順番に置き換えるようにして配列して表示する。そして、印字手段が、印字制御手段の制御に基づき、上記複数の発話関連データに対応した複数の印字オブジェクトを被印字テープに形成する。これにより、上記アプリケーションプログラムを用いた上記トークデータの内容を印字形成した印字テープを得ることができる。
【０００９】
このとき特に、上記表示手段は、上記プレビュー表示中において、上記トークデータ中に含まれる、時系列に沿った上記発話関連データを、各発話者ごとに異なる態様で表示する。具体的には、例えば第１発話者の発話関連データ（第１発話関連データ）と第２発話者の発話関連データ（第２発話関連データ）とを、テープ幅方向の一方側と他方側とにそれぞれ振り分けて表示したり、互いに異なる種類の枠を付与して区別して表示したり、互いに異なる背景色を用いて区別して表示したり、互いに異なるマークを付与して区別して表示する。
【００１０】
これにより、ユーザは、テープ長さ方向に順に配列されて表示された発話関連データを、発話者ごとに明瞭に区別して視認することができる。この結果、前述のようにしてトークデータの内容に対応した印字テープを作成する際、例えば、必要な発話関連データのみを抽出し他を削除したり、特定の発話関連データをテープ幅方向に移動したり、表示方向を左右反転させたり等、所望の編集を容易に実行可能となる。この結果、ユーザにとっての利便性を向上することができる。
【００１１】
また、上記目的を達成するために、本願第２発明は、被印字テープを搬送させるための搬送手段と、前記搬送手段により搬送される前記被印字テープに印字を行う印字手段と、所望の表示を行う表示手段と、演算手段と、を有するテープ印字装置に備えられる前記演算手段に対して実行させるためのトークデータ処理プログラムであって、第１発話者及び第２発話者を含む複数の発話者それぞれによる、発話表示テキスト、投稿画像、投稿動画、及び投稿ＵＲＬ（Ｕｎｉｆｏｒｍ  Ｒｅｓｏｕｒｃｅ  Ｌｏｃａｔｏｒ）のうち少なくとも１つからなる発話関連データが、時系列に沿って複数個含まれるトークデータを、無線通信を介して受信するデータ受信手順と、前記表示手段を制御し、前記被印字テープをプレビュー表示させると共に、前記トークデータに含まれる前記時系列に沿った前記複数の発話関連データのうち少なくとも一部を前記プレビュー表示中においてテープ長さ方向に沿って前記時系列の順番に配列して表示し、かつ、前記トークデータに含まれる前記第１発話者に関わる第１発話関連データと、前記トークデータに含まれる前記第２発話者に関わる第２発話関連データとを、互いに異なる態様で表示する、表示制御手順と、を実行させることを特徴とする。
【発明の効果】
【００１２】
本発明によれば、テープ上のトークデータの会話内容を発話者ごとに明瞭に区別して視認し、所望の編集を容易に実行できる。
【図面の簡単な説明】
【００１３】
【図１】本発明の実施の形態におけるラベル作成装置と、これに情報送受可能に接続する携帯端末を示す正面図である。
【図２】携帯端末の機能的構成を示す機能ブロック図である。
【図３】ラベル作成装置の機能的構成を示す機能ブロック図である。
【図４】ラベル作成装置の制御回路によって実行されるラベル作成処理の制御手順を示すフローチャートである。
【図５】インスタントメッセージングアプリケーションにより携帯端末のタッチパネル部に表示されたトークデータの表示例を示す図である。
【図６】図５に示されたトークデータに基づいてラベル作成装置により作成された印字ラベルの印刷例を示す図である。
【図７】ラベル作成装置の表示部に表示された選択画面の表示例を示す図である。
【図８】図５に示されたトークデータをアプリモードに変換してラベル作成装置の表示部に表示された表示例を示す、（ａ）は部分選択が選択された場合の図、及び（ｂ）は全選択が選択された場合の図である。
【図９】アプリモード編集画面上で編集処理メニューを表示した場合の表示例を示す図である。
【図１０】アプリモード編集画面での編集処理を反映して印刷した印字ラベルの印刷例を示す、（ａ）は第１の編集処理例の図、（ｂ）は第２の編集処理例の図である。
【図１１】アプリモード編集画面から通常モード編集画面へ移行した場合の表示例を示す図である。
【図１２】通常モード編集画面での編集処理を説明し、（ａ）は元の発話関連データの表示例を示す図、（ｂ）はテキスト編集処理の処理例を示す図、（ｃ）はテキスト編集処理を反映させて印刷した印字ラベルの印刷例を示す図である。
【図１３】投稿ＵＲＬの発話関連データを含むトークデータを印刷した場合の表示例と印刷例を示す図である。
【図１４】投稿動画の発話関連データを含むトークデータを印刷した場合の表示例と印刷例を示す図である。
【図１５】ラベル作成装置の制御回路によって実行されるトークデータ編集印字処理の制御手順を示すフローチャートである。
【図１６】ラベル作成装置のタッチパネル部にトークデータを表示してスクロール操作する場合の表示例を示す図である。
【発明を実施するための形態】
【００１４】
以下、本発明の実施形態を図面を参照しつつ説明する。
【００１５】
本発明の実施形態を図１〜図１５により説明する。
【００１６】
本実施形態では、ラベル作成装置が実行するトークデータ処理プログラムによって、携帯端末からトークデータを受信、表示、編集、印刷して印字ラベルを作成する場合を例にとって説明する。
【００１７】
＜携帯端末及びラベル作成装置の概略構成＞
図１に示すように、携帯端末１０は、インスタントメッセージングアプリケーションを実行して生成されたトークデータを、テープ印字装置であるラベル作成装置２０に送信するために用いられる。携帯端末１０は、ユーザが操作可能な操作ボタン１２と、例えば液晶ディスプレイ等を備えたタッチパネル部１３と、を有する。
【００１８】
また図１に示すように、上記携帯端末１０からトークデータを受信するラベル作成装置２０は、例えば液晶ディスプレイからなり上記トークデータ、各種情報、又は各種メッセージを表示する表示部２２と、ユーザが各種操作を可能な操作部２３と、装置本体２１内に配設されたカッタ２７（後述の図３参照）を駆動するためのカットレバー２４とを備えている。
【００１９】
操作部２３には、文字、記号、数字、及び所定の指示操作等を入力するための入力キー等を含む種々の機能キー２３ａが含まれている。
【００２０】
＜携帯端末の機能的構成＞
上記携帯端末１０の機能的構成を図２に示す。携帯端末１０は、制御回路１４と、各種情報を記憶するメモリ１５と、通信制御部１６と、操作検出部１７と、上記操作ボタン１２と、上記タッチパネル部１３とを有する。
【００２１】
通信制御部１６は、無線通信（又は有線通信）を介して接続された上記ラベル作成装置２０との間で行われる、情報通信の制御を行う。なお、上記図１に示す例では、Ｗｉ−Ｆｉ（登録商標）等の規格に準じた無線ＬＡＮによる無線通信を介してラベル作成装置２０と情報送受可能に接続されているが、他にもＵＳＢ（Ｕｎｉｖｅｒｓａｌ  Ｓｅｒｉａｌ  Ｂｕｓ）等の規格に準じた有線通信を介して接続されてもよい。
【００２２】
メモリ１５は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ１５には、後述するインスタントメッセージングアプリケーションを含む各種プログラムが記憶されている。
【００２３】
制御回路１４は、図示しないＣＰＵ、ＲＡＭ、及びＲＯＭを備えている。この制御回路１４は、ＣＰＵの演算機能により、ＲＡＭの一時記憶機能を利用しつつ、ＲＯＭに予め記憶された上記各種プログラムを実行する。
【００２４】
タッチパネル部１３は、所定の操作機能及び所定の表示機能を備えている。
【００２５】
＜ラベル作成装置の機能的構成＞
上記ラベル作成装置２０の機能的構成を図３に示す。図３において、ラベル作成装置２０は、制御回路２５と、各種情報を記憶するメモリ２６と、通信制御部２８と、上記表示部２２と、上記操作部２３と、上記カットレバー２４と、カートリッジホルダ３２と、搬送装置２９と、印字ヘッド３０と、カッタ２７とを有する。
【００２６】
通信制御部２８は、上記のように無線又は有線を介して接続された携帯端末１０との間で行われる、情報通信の制御を行う。
【００２７】
制御回路２５は、図示しないＣＰＵ（演算手段に相当）、ＲＡＭ、及びＲＯＭを備えている。この制御回路２５は、ＲＡＭの一時記憶機能を利用しつつ、ＲＯＭに予め記憶された各種プログラムを実行する。これにより、制御回路２５は、ラベル作成装置２０全体の制御を行う。上記の各種プログラムには、後述する図４、図１５等に示す手順を実行するためのラベル作成用処理プログラム（トークデータ処理プログラムに相当）が含まれている。また、制御回路２５は、通信制御部２８を介して携帯端末１０と接続されており、携帯端末１０からトークデータの受信が可能となっている。
【００２８】
メモリ２６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２６には、携帯端末１０から送信されたトークデータや印字データを格納可能となっている。
【００２９】
カートリッジホルダ３２は、テープ３３（被印字テープに相当）を供給可能なカートリッジ３１を着脱可能に構成されている。カートリッジ３１は、テープ３３を図示しないリール部材の周りに巻回したテープロール３４（本来は渦巻き状であるが簡略化して同心円で図示している）を備えている。
【００３０】
搬送装置２９（搬送手段に相当）は、印字ヘッド３０に対向して設けられている。この搬送装置２９は、制御回路２５により制御されて、カートリッジホルダ３２に装着したカートリッジ３１のテープロール３４から繰り出されて供給される、テープ３３を搬送する。
【００３１】
印字ヘッド３０（印字手段に相当）は、制御回路２５により制御されて、テープロール３４から繰り出され搬送装置２９により搬送されるテープ３３に対し、所望の印字を形成する。
【００３２】
カッタ２７は、ユーザによりカットレバー２４が操作されることで、印字ヘッド３０による印字が終了したテープ３３を切断して、印字ラベル（後述の図６等参照）とする。
【００３３】
表示部２２（表示手段に相当）は、携帯端末１０から受信したトークデータや操作画面を含む各種情報を表示する。
【００３４】
操作部２３は、ユーザからの上記入力キーや機能キー２３ａの押下操作を介して各種操作を受け付ける。
【００３５】
＜印字ラベルの作成手順＞
図４に、印字ラベル作成時にラベル作成装置２０の制御回路２５によって実行される制御手順の一例を示すフローチャートを示す。このフローに示す処理は、ユーザが携帯端末１０から受信したトークデータに対して後述する変換、編集を介して印字データを生成した後に、ラベル作成装置２０に対しラベル作成指示を出力することにより開始される。
【００３６】
図４において、まずステップＳ１０で、制御回路２５は、搬送装置２９に制御信号を出力し、カートリッジホルダ３２に装着されたカートリッジ３１のテープロール３４からのテープ３３の繰り出し、すなわちテープ３３の搬送を開始させる。
【００３７】
そして、ステップＳ２０に移り、制御回路２５は、テープ３３が所定量だけ搬送されたかどうかを判定する。なお、この所定量とは、例えば、テープ３３の図示しない印字領域の先端が、印字ヘッド３０とほぼ対向する位置に到達するだけの搬送距離（いわゆる前余白用の搬送量）である。所定量搬送されるまでステップＳ２０の判定が満たされず（Ｓ２０：ＮＯ）、ループ待機し、所定量搬送されたらステップＳ２０の判定が満たされて（Ｓ２０：ＹＥＳ）、ステップＳ３０に移る。
【００３８】
ステップＳ３０では、制御回路２５は、印字ヘッド３０に制御信号を出力し、搬送装置２９により搬送されるテープ３３の印字領域に対し、メモリ２６に格納された印字データの印字を開始させる。
【００３９】
その後、ステップＳ４０で、制御回路２５は、上記ステップＳ３０で開始した印字ヘッド３０によるテープ３３の印字領域への印字データの印字がすべて完了しているかどうかを判定する。印字がすべて完了するまでステップＳ４０の判定が満たされず（Ｓ４０：ＮＯ）、ループ待機し、印字がすべて完了したらステップＳ４０の判定が満たされて（Ｓ４０：ＹＥＳ）、ステップＳ５０に移る。
【００４０】
ステップＳ５０では、制御回路２５は、テープ３３がさらに所定量（例えば印字領域のすべてがカッタ２７を所定の長さ分越えるだけの搬送距離。いわゆる後余白用の搬送量）だけ搬送されたかどうかを判定する。所定量搬送されるまでステップＳ５０の判定が満たされず（Ｓ５０：ＮＯ）、ループ待機し、所定量搬送されたらステップＳ５０の判定が満たされて（Ｓ５０：ＹＥＳ）、ステップＳ６０に移る。
【００４１】
ステップＳ６０では、制御回路２５は、搬送装置２９に制御信号を出力し、ステップＳ１０で開始させたテープロール３４からのテープ３３の繰り出し、すなわちテープ３３の搬送を停止させる。
【００４２】
そして、ステップＳ７０では、制御回路２５は、表示部２２に表示信号を出力し、カットレバー２４を操作することによりテープ３３を切断可能な状態である旨の表示を行わせる。その後、このフローに示す処理を終了する。上記表示に応じてユーザがカットレバー２４を操作すると、カッタ２７が作動してテープ３３が切断される。このカッタ２７による切断によって、テープ３３から印字ヘッド３０による印字が行われた部分が切り離されて、印字ラベルが作成される。
【００４３】
＜本実施形態の特徴＞
上述したように、携帯端末１０上でインスタントメッセージングアプリケーションを実行することによりトークデータが生成され、これをラベル作成装置２０が受信してテープ３３に印刷し、印字ラベルを作成する。本実施形態の特徴は、ラベル作成装置２０において、受信したトークデータに含まれる各発話関連データ（後述）の構成や配置をテープ３３に印刷する上で適切となるよう自動的に変換し、さらにユーザによる任意の編集処理を介して印字データを生成して印刷できるようにしたことにある。以下、その詳細を、図５〜図１５により順を追って説明する。
【００４４】
＜インスタントメッセージングアプリケーションでのトークデータの表示例＞
携帯端末１０がインスタントメッセージングアプリケーションを実行した際のタッチパネル部１３におけるトークデータの表示例を図５に示す
【００４５】
この図５において、タッチパネル部１３は、図中の上下方向に長い縦寸法を有し、図中の左右方向にそれより短い幅寸法を有する長方形形状となっている。そして、この縦長のタッチパネル部１３のうちの図中右側の縁部の近傍には当該携帯端末１０（及びラベル作成装置２０）のユーザ自身（自分；第１発話者に相当）が投稿した発話関連データＭ２，Ｍ４，Ｐ４が配置され、図中左側の縁部の近傍には当該ユーザ以外の発話者（相手；第２発話者に相当）が投稿した発話関連データＭ１，Ｐ１，Ｐ２，Ｐ３，Ｍ３が配置されている。そして全ての発話関連データＭ１〜Ｍ４，Ｐ１〜Ｐ４は図中の上方から下方に向かう方向を時系列の投稿順に配列して表示されている。
【００４６】
ここで各発話者が投稿できる個々の発話関連データの種類としては、テキストで投稿されて吹き出し枠の内部に表示された発話表示テキスト、規定の選択画像であるスタンプやカメラで撮像された静止画像などで投稿された投稿画像、カメラで撮像された動画画像で投稿された投稿動画（後述の図１４参照）、又はＷＥＢサイトのアクセスコードであるＵＲＬ（Ｕｎｉｆｏｒｍ  Ｒｅｓｏｕｒｃｅ  Ｌｏｃａｔｏｒ）で投稿された投稿ＵＲＬ（後述の図１３参照）などがある。
【００４７】
図５に示す例では、タッチパネル部１３中の上から下へ向かう順、つまり投稿順に、相手が投稿した「おはよー」の発話表示テキストＭ１と、鶏のスタンプからなる投稿画像Ｐ１が続けて左側（相手側）に表示されている。次に自分が投稿した「おはよう。」の発話表示テキストＭ２が右側（自分側）に表示されている。次に相手が投稿したクラッカーのスタンプの投稿画像Ｐ２と、ケーキのスタンプの投稿画像Ｐ３と、「お誕生日おめでとう」の発話表示テキストＭ３が続けて相手側に表示されている。次に自分が投稿した「ありがとう。今日は友達がパーティしてくれます。ケーキ焼いてくれるって。」の発話表示テキストＭ４と、人の顔を模したスタンプの投稿画像Ｐ４が続けて自分側に表示されている。
【００４８】
以上のように、インスタントメッセージングアプリケーションは、自分と相手がそれぞれ投稿した複数の発話関連データＭ１〜Ｍ４，Ｐ１〜Ｐ４の全体を、発話者別及び時系列の投稿順に管理したトークデータとして生成、記憶し、このトークデータを発話者別及び投稿順に対応する配列で表示するよう機能する。そしてこのトークデータの表示では、ユーザによるタッチパネル部１３上のスクロール操作によってトークデータのうち任意の時系列位置にある発話関連データを表示させることができる。なお、相手側の発話者としては１人でも複数人でもよく、つまりトークデータは１対１の会話であったり、又は特定人数のグループでの会話を、記録し表示可能なデータとして生成される。
【００４９】
＜ラベル作成装置のアプリモードによるトークデータの印刷例＞
そして上述したように、本実施形態のラベル作成装置２０は、携帯端末１０上で動作する上記インスタントメッセージングアプリケーションで生成されたトークデータを読み出して受信する。このトークデータの読み出しについては、ラベル作成装置２０側のプログラムによって行われてもよいし、携帯端末１０側にインストールした別途のアプリケーションによって行われてもよい。
【００５０】
そしてラベル作成装置２０に受信されたトークデータは、テープ３３に印刷する上で適切となるよう各発話関連データの構成や配置が後述するアプリモードに自動的に変換され、さらにこのアプリモードのトークデータに基づいて印字データが生成される。ラベル作成装置２０は、この印字データを上記図４に示した制御手順でテープ３３に印刷することで印字ラベルを作成する。例えば、上記図５に示された例のトークデータをアプリモード（後述）に変換し、さらに印字データを生成してテープ３３に印刷した場合には、図６に示すような印字ラベルＬＢが作成される。
【００５１】
図示する例の印字ラベルＬＢに印刷された印字データは、図中の左右方向がテープ３３の長さ方向（搬送方向）に対応し、図中の上下方向がテープ３３の幅方向に対応している。そして、テープ３３のうちの図中下側の縁部の近傍を自分側とし、図中上方側の縁部の近傍を相手側とし、図中の左側から右側へ向かう方向（搬送方向下流側から上流側へ向かう方向）を時系列の投稿順として各発話関連データＭ１〜Ｍ４，Ｐ１〜Ｐ４がそれぞれ印字オブジェクトＭＢ１〜ＭＢ４，ＰＢ１〜ＰＢ４として配置されている。そして各印字オブジェクトＭＢ１〜ＭＢ４，ＰＢ１〜ＰＢ４は、それぞれの上下方向をテープ幅方向に対応させた正対姿勢で印字される。
【００５２】
つまりこの印字データにおいては、トークデータに含まれる時系列に沿った複数の発話関連データＭ１〜Ｍ４，Ｐ１〜Ｐ４が、それぞれ印字オブジェクトＭＢ１〜ＭＢ４，ＰＢ１〜ＰＢ４としてテープ長さ方向に沿って時系列の順番に配列され、かつ、トークデータに含まれる自分が投稿した発話関連データＭ２，Ｍ４，Ｐ４（第１発話関連データに相当）の印字オブジェクトＭＢ２，ＭＢ４，ＰＢ４と、トークデータに含まれる相手が投稿した発話関連データＭ１，Ｍ３，Ｐ１〜Ｐ３（第２発話関連データに相当）の印字オブジェクトＭＢ１，ＭＢ３，ＰＢ１〜ＰＢ３とを、互いに異なる態様で印字される。図示する本実施形態の例において、自分の印字オブジェクトＭＢ２，ＭＢ４，ＰＢ４と相手の印字オブジェクトＭＢ１，ＭＢ３，ＰＢ１〜ＰＢ３の間における印字態様の違いは、テープ幅方向（第１方向に相当）における配置方向の差となっている。つまり、自分が投稿した印字オブジェクトＭＢ２，ＭＢ４，ＰＢ４をテープ幅方向の一方側（下方側）に寄せつつ、相手が投稿した印字オブジェクトＭＢ１，ＭＢ３，ＰＢ１〜ＰＢ３をテープ幅方向の他方側（上方側）に寄せて配置している。
【００５３】
そして印字データは、発話表示テキストを含む少なくとも１つの印字オブジェクト（発話関連データ）を印字し、当該少なくとも１つの印字オブジェクトでは、発話表示テキストを、テープ長さ方向（第２方向に相当）に延びかつテープ幅方向に複数段となる文章にて印字している。
【００５４】
また、上記図５に示した発話表示テキストＭ４は、元の６段での文章がテープ幅に収まらないため、印字データではテープ幅方向に並んだ２つのテキストブロックＭ４ａ，Ｍ４ｂに分けられる。つまり、特定の発話表示テキストＭ４の段数が、テープ３３のテープ幅に対応する所定数（この例の４段）以上となる場合には、上記特定の発話表示テキストＭ４を、テープ長さ方向における最大文字数がそれぞれ所定の文字数以下となる２つのテキストブロックＭ４ａ，Ｍ４ｂに分割し、２つ目のテキストブロックＭ４ｂ（第２テキストに相当）を最初のテキストブロックＭ４ａ（第１テキストに相当）からテープ長さ方向の右側（搬送方向上流側；第２方向の一方側に相当）に配列している。
【００５５】
そして上記アプリモードとは、トークデータに含まれる複数の発話関連データＭ１〜Ｍ４，Ｐ１〜Ｐ４をそれぞれの上下方向をテープ幅方向に対応させた正対姿勢としつつ以上の配置ルールに従って配列させるようトークデータを変換するモードである。なお、図中では説明の便宜上からトークデータの全体を図示しているが、表示部２２にはその内部におけるプレビュー表示のみ行われる。
【００５６】
＜ラベル作成装置のアプリモードによるトークデータの編集例＞
本実施形態のラベル作成装置２０では、携帯端末１０から受信したトークデータの各発話関連データの構成と配置をアプリモードに自動変換した後であって印字データを生成する前に、その変換後のトークデータを表示部２２に表示してさらにユーザが任意に各発話関連データの構成や配置を編集することができる。
【００５７】
しかし、携帯端末１０においては長い期間に渡る膨大なトークデータを連続的に保存可能である一方、ラベル作成装置２０の表示部２２に表示して編集、印刷できるトークデータの長さには限りがある。このためラベル作成装置２０がトークデータを受信した後には、図７に示すような選択画面を表示して変換、編集、印刷するトークデータの時系列範囲の選択を可能にしている。図示する例では、部分的な時系列範囲を指定する部分選択と、全時系列範囲を指定する全選択のいずれかを選択することができる。さらに部分選択の場合には、時系列範囲の開始日（図中の「ＳＴＡＲＴ」）と終了日（図中の「ＥＮＤ」）をそれぞれ指定できる（図示する例ではそれぞれ同日の「２０１６年０５月０８日」）。
【００５８】
ここで、部分選択が選択され、上記図５でタッチパネル部１３に表示されている発話関連データＭ１〜Ｍ４，Ｐ１〜Ｐ４が時系列範囲の２０１６年０５月０８日に投稿された全ての発話関連データである場合には、図８（ａ）に示すような初期表示で表示部２２にアプリモード編集画面が表示される。つまり、指定された時系列範囲（５月８日分）に対応してアプリモード変換されたトークデータのうち最古の発話関連データＭ１を先頭として、表示部２２で表示可能な長さ分だけのトークデータのプレビュー表示画面が表示部２２に初期表示される。つまり、プレビュー表示中において、時系列範囲の発話関連データＭ１〜Ｍ４，Ｐ１〜Ｐ４のうち最古の発話関連データＭ１を含む表示が、最新の発話関連データＰ４側にスクロール可能に表示される。
【００５９】
またこの初期表示においては、最古の発話関連データＭ１に重複する配置で半透過表示（もしくは反転表示）のカーソルＣが重畳表示される。このカーソルＣは、ユーザが操作部２３の機能キー２３ａに含まれるカーソル移動キー（特に図示せず）を操作することで発話関連データの単位でテープ長さ方向に移動させることができ、表示部２２の左右両端いずれかの位置からそれぞれさらに先に進めるよう移動操作することで印字データのプレビュー画面全体をスクロールさせることができる。また印字データのテープ搬送方向上流側の端部、つまり最新発話関連データＰ４よりさらに上流側（右側）の位置には、後述する通常モード切替仮想ボタンＶが表示される。この通常モード切替仮想ボタンＶは、全ての発話関連データとともにテープ長さ方向の左側にスクロール可能に初期表示される。
【００６０】
また、時系列範囲に全選択が選択された場合には、図８（ｂ）に示すような初期表示でアプリモード編集画面が表示部２２に表示される。つまり、通常モード切替仮想ボタンＶを末尾（テープ搬送方向の上流側端部）に配置して、アプリモード変換後のトークデータのうち最新発話関連データＰ４から表示部２２で表示可能な長さ分だけの印字データのプレビュー表示画面が表示部２２に初期表示される。この場合の初期表示では、カーソルＣは最新発話関連データＰ４に重複する配置で重畳表示される。つまり、プレビュー表示中において、すべての発話関連データのうち最新の発話関連データＰ４を含む表示が、最古の発話関連データＭ１側にスクロール可能に表示される。そしてスクロールを進めることで、トークデータに含まれる全ての発話関連データが縮小処理されることなく所定の表示サイズ以上で表示部２２に表示される。なお図示する例では、発話関連データＭ１より前のものの図示を省略している。
【００６１】
なお部分選択が選択された場合であっても、特に図示しないが、プレビュー表示中において最新の発話関連データＰ４を含む表示が、最古の発話関連データＭ１側にスクロール可能に初期表示されてもよい。また全選択が選択された場合であっても、特に図示しないが、プレビュー表示中においてすべての発話関連データのうち最古の発話関連データＭ１を含む表示が、最新の発話関連データＰ４側にスクロール可能に初期表示されてもよい。また部分選択と全選択のいずれを選択した場合でも、アプリモードのトークデータ中に含まれる発話関連データの数が少ないためにその全体が表示部の表示範囲を超えない場合には、スクロール不可として固定的に初期表示させてもよい。
【００６２】
そしてプレビュー表示中において、カーソルＣを移動操作して所定の発話関連データに重複させた際に、特に図示しない操作部２３の機能キー２３ａに含まれる編集キーを押下操作することで、表示部２２に図９に示すような編集処理メニューＥをカーソルＣの下方側に表示できる。図示する例の編集処理メニューＥでは、その時点でカーソルＣが重複して編集対象となっている発話関連データを左隣のものと配置を入れ替える「左移動」（移動処理に相当）の処理メニューＥａと、その時点の編集対象の発話関連データを右隣のものと配置を入れ替える「右移動」（移動処理に相当）の処理メニューＥｂと、当該編集対象の発話関連データを削除して両隣の間隔を詰める「削除」（削除処理に相当）の処理メニューＥｃと、当該発話関連データの左右方向（テープ長さ方向）の向きを反転させる「反転」（反転処理に相当）の処理メニューＥｄが上下方向に配列して表示されている。
【００６３】
ユーザは、カーソルＣを上下方向に移動操作していずれかの処理メニューＥａ〜Ｅｄを選択し別途の決定キーを押下操作することで、編集対象の発話関連データに対して選択した処理メニューに対応する編集処理を行い、プレビュー表示に反映させることができる。つまりこのアプリモード編集画面では、プレビュー表示中においてテープ長さ方向に沿って配列された複数の発話関連データそれぞれに対する、テープ長さ方向への移動処理（右移動、左移動）、削除処理、表示向きの反転処理のうち少なくとも１つの処理を受け付ける。
【００６４】
例えば、上記図６に示した印字データに対応するトークデータのうち発話表示テキストＭ１と投稿画像Ｐ１だけを残して他の発話関連データを削除し、発話表示テキストＭ１と投稿画像Ｐ１の位置を入れ替えるよう移動し（Ｍ１の右移動又はＰ１の左移動）、投稿画像Ｐ１の左右方向を反転することで、図１０（ａ）に示すような印字データに編集できる。また、上記図６に示した印字データに対応するトークデータのうち投稿画像Ｐ２，Ｐ３と発話表示テキストＭ３だけを残して他の発話関連データを削除し、両側の投稿画像Ｐ２と発話表示テキストＭ３の位置を入れ替えるよう配置替え（例えば、２つの投稿画像Ｐ２，Ｐ３の入れ替え移動→投稿画像Ｐ２と発話表示テキストＭ３の入れ替え移動→投稿画像Ｐ３と発話表示テキストＭ３の入れ替え移動）することで、図１０（ｂ）に示すような印字データに編集できる。
【００６５】
なお、編集処理の具体的な処理メニューとしては、上記のものに限られず他にも多様なものが考えられる。特に図示しないが、例えばトークデータに含まれる多数の発話関連データの中から任意の条件（発話者別、発話関連データの種類別等）を満たすものだけを検索して抽出する処理メニューなどを設けてもよい。これによれば、自分と相手の発話表示テキストだけを抽出したり、発話表示テキストとスタンプを関連させて抽出したり、スタンプや投稿画像や投稿動画などの画像系の発話関連データだけを抽出したり、発話表示テキストだけを抽出したりできる。
【００６６】
＜ラベル作成装置の通常モードによるトークデータの編集例、印刷例＞
また本実施形態のラベル作成装置２０では、アプリモード変換後のトークデータに対して、特にその中に含まれる発話表示テキストの内容や書式等を編集する通常モード編集を行うこともできる。この場合、図１１に示すように、少なくとも１つの発話表示テキストを含む発話関連データの一群を編集対象として指定した後、カーソルＣを通常モード切替仮想ボタンＶ（移行操作部に相当）に重ねて決定操作することでアプリモード編集画面から通常モード編集画面へ表示を切り替える。
【００６７】
そして通常モード編集画面（テキスト編集画面に相当）は、公知のいわゆるリアルタイムプレビュー画面であり、印字データを生成した際の印字内容、つまりその時点で設定しているフォントやポイント等の書式をそのまま即時に反映した態様でテキストをプレビュー表示し編集する画面となっている。なお図示する例の通常モード画面では、トークデータにおいて発話表示テキストを囲んでいた吹き出し枠が消去される。またこの通常モード編集画面では、上記アプリモード編集画面の場合とは異なる形状（図示する例では縦線状）のカーソルＣＶが表示される。
【００６８】
この通常モードでの編集処理では、これまでのラベル作成装置２０で可能とされていたテキスト編集を行える。例えば、図１２（ａ）の例に示す「お誕生日おめでとう」のテキストに対してさらにポイントを大きくするとともに斜体のスタイルを適用することで、図１２（ｂ）に示すように編集できる。そして、この編集内容に基づいて印字データを生成することで、図１２（ｃ）に示すような印字ラベルＬＢを作成できる。
【００６９】
＜印字データの生成について＞
以上のようにアプリモード及び通常モードでトークデータが変換、編集されている間に、ユーザが所定の印字キーの押下操作による印字操作を行うことでそれまでのトークデータの編集内容を反映した印字データが生成され、テープ３３に印刷される。しかしこの印字データの生成時においては、アプリモードでのトークデータのプレビュー画面上における各発話関連データの表示態様から、対応する印字オブジェクトの印字態様を実際の印字ラベルＬＢ上に印字する上で適切となるよう変更してもよい。
【００７０】
例えば図１３に示すように、トークデータに投稿ＵＲＬの発話関連データＵ１が含まれている場合、アプリモードではそのままテキスト形式の表示態様でプレビュー表示し、印字データではそのＵＲＬ情報を図示するようなＱＲコード（登録商標）等のバーコード化した符号化画像の印字オブジェクトＵＢ１に変更してもよい。
【００７１】
また例えば図１４に示すように、トークデータに投稿動画の発話関連データＤ１が含まれている場合、アプリモードでは表示部２２上でそのまま再生可能に表示（投稿動画Ｄ１のアイコン中に再生ボタンが表示）されるところ、印字データではその投稿動画中の代表静止画像で置き換えた印字オブジェクトＤＢ１に変更してもよい。また特に図示しないが、印字データにおいて投稿画像中の複数の静止画像を時系列順のコマ送りのように配置する印字オブジェクトに変更してもよい。
【００７２】
以上のような印字データ生成時における発話関連データと印字オブジェクトの間の変換有無や変換形式については、予めユーザによって任意に設定できるようにするとよい。
【００７３】
＜制御手順＞
上記のトークデータの処理手法を実現するために、ラベル作成装置２０の制御回路２５が実行するトークデータ編集印字処理の制御手順を図１５により説明する。図１５の処理は、例えば携帯端末１０からトークデータを受信するよう指示する操作がユーザから入力された際に開始する。
【００７４】
図１５において、まず、ステップＳ１０５で、制御回路２５は、通信制御部による無線通信を介して携帯端末１０からトークデータを受信する。ステップＳ１０５が終了すると、ステップＳ１１０に移る。
【００７５】
ステップＳ１１０では、制御回路２５は、上記図７に示した選択画面を表示部２２に表示し、時系列範囲（または全指定）の指定入力を受け付ける。ステップＳ１１０が終了すると、ステップＳ１１５に移る。
【００７６】
ステップＳ１１５では、制御回路２５は、上記ステップＳ１０５で受信したトークデータに対して上記ステップＳ１１０で指定された時系列範囲で（全選択の場合は全てのトークデータで）アプリモードのトークデータに変換する（図８等参照）。ステップＳ１１５が終了すると、ステップＳ１２０に移る。
【００７７】
ステップＳ１２０では、制御回路２５は、上記ステップＳ１１５で選択されたのが部分選択であったか否か、すなわち範囲指定があったか否かを判定する。部分選択で範囲指定があった場合、判定が満たされ（Ｓ１２０：ＹＥＳ）、ステップＳ１２５に移る。
【００７８】
ステップＳ１２５では、制御回路２５は、上記図８（ａ）に示したように、表示部２２にアプリモード編集画面を表示し、そのプレビュー表示中において、時系列範囲の発話関連データのうち最古の発話関連データを含む初期表示を、最新の発話関連データ側にスクロール可能に表示する。ステップＳ１２５が終了すると、ステップＳ１３５に移る。
【００７９】
一方、上記ステップＳ１２０の判定において、全選択が選択されて範囲指定がなかった場合、判定は満たされず（Ｓ１２０：ＮＯ）、ステップＳ１３０に移る。
【００８０】
ステップＳ１３０では、制御回路２５は、上記図８（ｂ）に示したように、表示部２２にアプリモード編集画面を表示し、そのプレビュー表示中において、すべての発話関連データのうち最新の発話関連データを含む初期表示を、最古の発話関連データ側にスクロール可能に表示する。ステップＳ１３０が終了すると、ステップＳ１３５に移る。
【００８１】
ステップＳ１３５では、制御回路２５は、操作部２３においてカーソル移動キーの押下操作（図中では「カーソル操作」と略記）が入力されたか否かを判定する。カーソル操作が入力されていない場合、判定は満たされず（Ｓ１３５：ＮＯ）、ステップＳ１４５に移る。
【００８２】
一方、カーソル操作が入力された場合、判定が満たされ（Ｓ１３５：ＹＥＳ）、ステップＳ１４０に移る。
【００８３】
ステップＳ１４０では、制御回路２５は、上記ステップＳ１３５で入力が判定されたカーソル移動キーに対応する方向で表示部２２上のカーソルＣの位置を発話関連データ単位で移動させて表示する。また、その時点のカーソルＣの位置が表示部２２の両端にあってさらに端側への移動操作が入力されている場合には、プレビュー表示全体を対応する方向にスクロール移動するよう表示する。ステップＳ１４０が終了すると、ステップＳ１４５に移る。
【００８４】
ステップＳ１４５では、制御回路２５は、操作部２３において編集キーの押下操作（図中では「編集操作」と略記）が入力されたか否かを判定する。編集操作が入力されていない場合、判定は満たされず（Ｓ１４５：ＮＯ）、ステップＳ１５５に移る。
【００８５】
一方、編集操作が入力された場合、判定が満たされ（Ｓ１４５：ＹＥＳ）、ステップＳ１５０に移る。
【００８６】
ステップＳ１５０では、制御回路２５は、表示部２２上でアプリモード編集画面としたままその時点のカーソル位置の下方に編集処理メニューを表示する。そしてユーザにより選択された処理メニューに応じて編集処理を行う。ステップＳ１５０が終了すると、ステップＳ１５５に移る。
【００８７】
ステップＳ１５５では、制御回路２５は、表示部２２上の通常モード切替仮想ボタンＶにカーソルＣが位置した状態で決定キーの押下操作（図中では「通常モード操作」と略記）が入力されたか否かを判定する。通常モード操作が入力されていない場合、判定は満たされず（Ｓ１５５：ＮＯ）、ステップＳ１６５に移る。
【００８８】
ステップＳ１６５では、制御回路２５は、操作部２３において印字キーの押下操作（図中では「印字操作」と略記）が入力されたか否かを判定する。印字操作が入力されていない場合、判定は満たされず（Ｓ１６５：ＮＯ）、ステップＳ１３５に戻り、同様の手順を繰り返す。
【００８９】
印字操作が入力された場合、判定が満たされ（Ｓ１６５：ＹＥＳ）、後述のステップＳ１７０に移る。
【００９０】
一方、通常モード操作が入力された場合、判定が満たされ（Ｓ１５５：ＹＥＳ）、ステップＳ１６０に移る。
【００９１】
ステップＳ１６０では、制御回路２５は、表示部２２上で通常モード編集画面に切り替えて予め編集対象として指定された発話関連データを表示する。そしてその発話関連データに含まれる発話表示テキスト中のテキストに対して編集処理を行う。ステップＳ１６０が終了すると、ステップＳ１７０に移る。
【００９２】
ステップＳ１７０では、制御回路２５は、その時点で編集された状態のトークデータに基づいて印字データを生成する。ここで基本的には、その時点のトークデータに含まれる各発話関連データそれぞれの構成及び配置を再現するよう、印字オブジェクトを生成し配置する。また、投稿ＵＲＬや投稿動画などの特定の発話関連データに対しては、それぞれ予め設定された構成（投稿ＵＲＬの場合はＱＲコード、投稿動画の場合は代表静止画像など）の印字オブジェクトに変換する。ステップＳ１７０が終了すると、ステップＳ１７５に移る。
【００９３】
ステップＳ１７５では、制御回路２５は、上記図４に示したラベル作成処理を実行して、上記ステップＳ１７０で生成した印字データをテープ３３に印刷し、印字ラベルＬＢを作成する。そしてこのフローを終了する。
【００９４】
以上において、ステップＳ１０５の手順が各請求項記載のデータ受信手段及びデータ受信手順に相当し、ステップＳ１１０の手順が各請求項記載の範囲受付手段に相当し、ステップＳ１１５，Ｓ１２５，Ｓ１３０の手順が各請求項記載の表示制御手段及び表示制御手順に相当し、ステップＳ１４５の手順が各請求項記載の処理受付手段に相当し、ステップＳ１７０，Ｓ１７５の手順が各請求項記載の印字制御手段に相当する。
【００９５】
＜実施形態の効果＞
以上説明したように、本実施形態においては、例えば携帯端末１０等においてインスタントメッセージングアプリケーション等の適宜のアプリケーションプログラムを用いて生成された、複数の発話者によるトークデータを用いて、テープ３３に印字を行い印字ラベルＬＢを作成できる。このとき特に、表示部２２では、アプリモードに変換したトークデータのプレビュー表示中において、当該トークデータ中に含まれる、時系列に沿った上記発話関連データを、各発話者ごとに異なる態様で表示する。
【００９６】
これにより、ユーザは、テープ長さ方向に順に配列されて表示された発話関連データを、発話者ごとに明瞭に区別して視認することができる。この結果、前述のようにしてトークデータの内容に対応した印字ラベルＬＢを作成する際、例えば、必要な発話関連データのみを抽出し他を削除したり、特定の発話関連データをテープ幅方向に移動したり、表示方向を左右反転させたり等、所望の編集を容易に実行可能となる。この結果、テープ３３上のトークデータの会話内容を発話者ごとに明瞭に区別して視認し、所望の編集を容易に実行できるため、ユーザにとっての利便性を向上することができる。
【００９７】
なお上記実施形態では、携帯端末１０を所有するユーザ自身が投稿した発話関連データと、当該ユーザ以外の発話者が投稿した発話関連データのそれぞれの配置位置を、テープ幅方向の一方側（下方側）と他方側（上方側）とにそれぞれ振り分ける表示態様の違いで区別したが、本発明はこれに限られない。これ以外にも、特に図示しないが、例えば互いに異なる種類（形状や色等）の枠を付与して区別したり、互いに異なる背景色を用いて区別したり、互いに異なるマーク（記号図形や下線の有無・種類等）を付与して区別したりするなどの表示態様の違いを持たせてもよい。
【００９８】
また、本実施形態では特に、トークデータのプレビュー表示中において、携帯端末１０のユーザが投稿した発話関連データをテープ幅方向に沿う下方側に寄せつつ、当該ユーザ以外の発話者が投稿した発話関連データをテープ幅方向の上方側に寄せて表示する。これにより、ユーザは、テープ長さ方向に順に配列されて表示された発話関連データについて、それぞれがテープ幅方向の下方側にあるか上方側にあるか、に基づき、発話者ごとに明瞭に区別して視認することができる。
【００９９】
また、本実施形態では特に、発話表示テキストを含む少なくとも１つの発話関連データを表示し、当該少なくとも１つの発話関連データでは、発話表示テキストを、テープ長さ方向に延びかつテープ幅方向に複数段となる文章にて表示する。これにより、ユーザは、テープ長さ方向に表記される発話表示テキストの内容を、すべてが１行で長く表示される場合に比べ、視覚的にわかりやすく認識することができる。
【０１００】
また、本実施形態では特に、特定の発話表示テキストの複数段の段数が、プレビュー表示中のテープ３３のテープ幅に対応する所定数以上となる場合には、特定の発話表示テキストをテープ長さ方向における最大文字数がそれぞれ所定の文字数以下となる複数のテキストブロックに分割し、２番目のテキストブロックを最初のテキストブロックからテープ長さ方向の右側に配列して表示する。これにより、１つの発話表示テキストの段数がテープ３３のテープ幅方向寸法に比べて多くなりすぎる場合には、各段におけるテープ長さ方向の文字数を適切な長さとしたまま当該発話表示テキストを２つの段に分割して並べて表記することで、ユーザによる良好な視認性を確保することができる。
【０１０１】
また、本実施形態では特に、プレビュー表示中においてテープ長さ方向に沿って配列された複数の発話関連データそれぞれに対する、テープ長さ方向への移動処理（右移動・左移動）、削除処理、表示向きの反転処理のうち少なくとも１つの編集処理を受け付ける。そして、トークデータに含まれる時系列に沿った複数の発話関連データを、編集処理を反映させた態様でプレビュー表示中において表示する。これにより、ユーザは、プレビュー表示された複数の発話関連データに対し、例えば、必要な発話関連データのみを抽出し他を削除したり、特定の発話関連データをテープ長さ方向やテープ幅方向に移動したり、表示方向を左右反転させたり等、所望の編集を容易に行うことができ、かつその実行後の姿を視覚的に確認することができる。
【０１０２】
また、本実施形態では特に、部分選択を選択した場合、プレビュー表示中において表示する複数の発話関連データの時系列範囲の指定を受け付け、トークデータに含まれる時系列に沿った複数の発話関連データのうち指定された時系列範囲の発話関連データをプレビュー表示中において表示する。これにより、トークデータ中に含まれる発話関連データが比較的多い場合に、そのうちの特定の時系列範囲のみを抽出し、わかりやすく表示することができる。
【０１０３】
また、本実施形態では特に、全選択を選択した場合、トークデータに含まれる時系列に沿った複数の発話関連データのすべてを、縮小処理することなくプレビュー表示中に所定の表示サイズ以上で表示する。これにより、トークデータ中に含まれる全発話関連データを、もれなく表示することができる。
【０１０４】
また、本実施形態では特に、表示する複数の発話関連データが当該表示部の表示範囲を超える長さとなる場合には、プレビュー表示中において、それら発話関連データのうち最古の発話関連データを含む表示を、最新の発話関連データ側にスクロール可能に表示する。これにより、表示すべき複数の発話関連データを古いものから順番に表示でき、さらにユーザにより適宜に最新データ側にスクロール操作ができるので、さらに利便性を向上することができる。
【０１０５】
また、本実施形態では特に、表示する複数の発話関連データが当該表示部の表示範囲を超える長さとなる場合には、プレビュー表示中において、それら発話関連データのうち最新の発話関連データを含む表示を、最古の発話関連データ側にスクロール可能に表示する。これにより、表示すべき複数の発話関連データを新しいものから順番に表示でき、さらにユーザにより適宜に最古データ側にスクロール操作ができるので、さらに利便性を向上することができる。
【０１０６】
また、本実施形態では特に、トークデータのプレビュー表示では投稿ＵＲＬを含む少なくとも１つの発話関連データを表示した場合、印字データを印刷する際には投稿ＵＲＬをバーコード化した画像を印字オブジェクトとしてテープ３３に形成する。これにより、発話関連データ中に、発話者が記載した特定のサイトのＵＲＬが含まれている場合に、当該ＵＲＬを表すバーコード画像を含む印字ラベルＬＢを作成することができる。この結果、ユーザは、作成された印字ラベルＬＢ中の上記バーコード画像に対し例えば携帯端末１０等でスキャンを行うことによって、容易に上記特定のサイトにアクセスし、閲覧することができる。
【０１０７】
また、本実施形態では特に、プレビュー表示の、テープ長さ方向の右側に、発話表示テキストに対する編集処理を実行する通常モード編集画面への移行を指示操作可能な通常モード切替仮想ボタンＶを表示し、かつ、当該通常モード切替仮想ボタンＶに対する指示操作が行われた場合には、通常モード編集画面を表示する。これにより、ユーザは、表示部２２に表示された通常モード切替仮想ボタンＶを操作して通常モード編集画面に移行させることで、例えば、表示部２２に表示された複数の発話関連データを用いて大がかりな種々の編集を行い、その編集結果を反映した印字ラベルＬＢを作成可能となる。
【０１０８】
また、本実施形態では特に、通常モード切替仮想ボタンＶを、プレビュー表示中に配列された全ての発話関連データよりもテープ長さ方向の右側に、当該全ての発話関連データとともにテープ長さ方向の左側にスクロール可能に表示する。本実施形態においては、プレビュー表示中において全発話関連データがスクロール可能に表示され、それと一体となって通常モード切替仮想ボタンＶも（スクロール時に）移動するように表示される。これにより、プレビュー表示中に通常モード切替仮想ボタンＶが固定的に表示される場合に比べ、プレビュー表示中において発話関連データを表示できる領域の大きさを広くとることができ、ユーザの利便性を向上できる。
【０１０９】
なお、本発明は、上記実施形態に限られるものではなく、その趣旨及び技術的思想を逸脱しない範囲内で種々の変形が可能である。以下、そのような変形例を順を追って説明する。
【０１１０】
例えば、上記実施形態では携帯端末１０にタッチパネル部１３が備えられており、インスタントメッセージングアプリケーションがタッチパネル部１３にトークデータを表示してユーザがスクロール操作することで任意の時系列位置にある発話関連データを表示させていた。これと同様に、ラベル作成装置２０においてもタッチパネル部１３を備え、当該タッチパネル部１３に受信したトークデータを表示させてユーザによるスクロール操作を可能にしてもよい。この場合には、上記図８（ａ）、図８（ｂ）に示すようなアプリモードに変換したトークデータを表示して左右にスクロール操作させてもよい。もしくは、図１６に示すように携帯端末１０と同じレイアウトそのままで（つまり上記アプリモードに変換せずに）トークデータを表示して上下方向にスクロール操作させてもよい。いずれの場合もカーソルＣを表示してその移動操作によるスクロール操作も併用可能にしたり、カーソル操作によって編集対象や印字対象の範囲指定を可能にしたりしてもよい。
【０１１１】
また、上記実施形態では携帯端末１０がインスタントメッセージングアプリケーションを起動してトークデータを生成していたが、本発明はこれに限られない。他にも、デスクトップＰＣやノートＰＣなどのパーソナルコンピュータ上で同様のインスタントメッセージングアプリケーションを起動してトークデータを生成し、ラベル作成装置２０がこのパーソナルコンピュータからトークデータを受信してもよい。
【０１１２】
なお、以上において、図２、図３中に示す矢印は信号の流れの一例を示すものであり、信号の流れ方向を限定するものではない。
【０１１３】
また、図４、図１５に示すフローチャートは本発明を上記フローに示す手順に限定するものではなく、発明の趣旨及び技術的思想を逸脱しない範囲内で手順の追加・削除又は順番の変更等をしてもよい。
【０１１４】
また、以上既に述べた以外にも、上記実施形態や各変形例による手法を適宜組み合わせて利用しても良い。
【０１１５】
その他、一々例示はしないが、本発明は、その趣旨を逸脱しない範囲内において、種々の変更が加えられて実施されるものである。
【符号の説明】
【０１１６】
１０              携帯端末
１３              タッチパネル部
２０              ラベル作成装置（テープ印字装置）
２２              表示部（表示手段）
２３              操作部
２５              制御回路（演算装置）
２９              搬送装置（搬送手段）
３０              印字ヘッド（印字手段）
３３              テープ（被印字テープ）
Ｃ，ＣＶ          カーソル
Ｅ                編集処理メニュー
ＬＢ              印字ラベル
Ｍ１〜Ｍ４，      発話関連データ
Ｐ１〜Ｐ４，
Ｕ１，Ｄ１
ＭＢ１〜ＭＢ４，  印字オブジェクト
ＰＢ１〜ＰＢ４，
ＵＢ１，ＤＢ１
Ｖ                通常モード切替仮想ボタン（移行操作部）
【図１】
2018005280.tif 000003
【図２】
2018005280.tif 000004
【図３】
2018005280.tif 000005
【図４】
2018005280.tif 000006
【図５】
2018005280.tif 000007
【図６】
2018005280.tif 000008
【図７】
2018005280.tif 000009
【図８】
2018005280.tif 000010
【図９】
2018005280.tif 000011
【図１０】
2018005280.tif 000012
【図１１】
2018005280.tif 000013
【図１２】
2018005280.tif 000014
【図１３】
2018005280.tif 000015
【図１４】
2018005280.tif 000016
【図１５】
2018005280.tif 000017
【図１６】
2018005280.tif 000018